(57)【特許請求の範囲】
【請求項１】
所定の空間内の互いに離れた複数位置で収録された複数の音データを入力する音データ入力部と、
前記音データ入力部から入力された複数位置の音データに基づいて前記空間内の音源の位置の認識および音源から発せられた音をあらわす音データの抽出を行なう手段を有し、これら複数位置の音データに基づいて、入力された制御情報に応じた音情報を抽出する音情報抽出部とを備え、
前記音情報抽出部が、前記空間内の位置もしくは領域をあらわす情報を含む制御情報、もしくは前記空間内の音源の位置もしくは領域をあらわす情報を含む音情報の抽出を要請する制御情報が入力され、入力された制御情報に応じた音情報を抽出するものであって、さらに
前記音情報抽出部が、前記空間内の領域を指定する制御情報が入力され、該制御情報の入力を受けて、該制御情報があらわす領域内に存在する音源から発せられた音をあらわす音データからなる音情報を抽出するものであることを特徴とする音情報抽出装置。
【請求項２】
所定の空間内の互いに離れた複数位置で収録された複数の音データを入力する音データ入力部と、
前記音データ入力部から入力された複数位置の音データに基づいて前記空間内の音源の位置の認識および音源から発せられた音をあらわす音データの抽出を行なう手段を有し、これら複数位置の音データに基づいて、入力された制御情報に応じた音情報を抽出する音情報抽出部とを備え、
前記音情報抽出部が、前記空間内の位置もしくは領域をあらわす情報を含む制御情報、もしくは前記空間内の音源の位置もしくは領域をあらわす情報を含む音情報の抽出を要請する制御情報が入力され、入力された制御情報に応じた音情報を抽出するものであって、さらに
前記音情報抽出部が、最大パワーの音を発する音源の抽出を指示する制御情報が入力され、該制御情報の入力を受けて、最大パワーの音を発する音源から発せられた音をあらわす音データと、前記空間内の、該最大パワーの音を発する音源が存在する領域をあらわす領域データとからなる音情報を抽出するものであることを特徴とする音情報抽出装置。
【請求項３】
所定の空間内の互いに離れた複数位置で収録された複数の音データを入力する音データ入力部と、
前記音データ入力部から入力された複数位置の音データに基づいて前記空間内の音源の位置の認識および音源から発せられた音をあらわす音データの抽出を行なう手段を有し、これら複数位置の音データに基づいて、入力された制御情報に応じた音情報を抽出する音情報抽出部とを備え、
前記音情報抽出部が、前記空間内の位置もしくは領域をあらわす情報を含む制御情報、もしくは前記空間内の音源の位置もしくは領域をあらわす情報を含む音情報の抽出を要請する制御情報が入力され、入力された制御情報に応じた音情報を抽出するものであって、さらに
前記音情報抽出部が、音源の数をあらわす制御情報が入力され、該制御情報の入力を受けて、パワーの大きい音を発する音源から順に、該制御情報があらわす音源の数と同数の音源を抽出し、該抽出された音源から発せられた音をあらわす音データと、前記空間内の、該抽出された音源が存在する領域をあらわす領域データとからなる音情報を抽出するものであることを特徴とする音情報抽出装置。
【請求項４】
所定の空間内の互いに離れた複数位置で収録された複数の音データを入力する音データ入力部と、
前記音データ入力部から入力された複数位置の音データに基づいて前記空間内の音源の位置の認識および音源から発せられた音をあらわす音データの抽出を行なう手段を有し、これら複数位置の音データに基づいて、入力された制御情報に応じた音情報を抽出する音情報抽出部とを備え、
前記音情報抽出部が、前記空間内の位置もしくは領域をあらわす情報を含む制御情報、もしくは前記空間内の音源の位置もしくは領域をあらわす情報を含む音情報の抽出を要請する制御情報が入力され、入力された制御情報に応じた音情報を抽出するものであって、さらに
前記音情報抽出部が、パワーの大きい順序で所定の順位にある音を発する音源の抽出を指示する制御情報が入力され、該制御情報の入力を受けて、該制御情報があらわす順位にある音を発する音源から発せられた音をあらわす音データと、前記空間内の、該制御情報があらわす順位にある音を発する音源が存在する領域をあらわす領域データとからなる音情報を抽出するものであることを特徴とする音情報抽出装置。
【請求項５】
所定の空間内の互いに離れた複数位置で収録された複数の音データを入力する音データ入力部と、
前記音データ入力部から入力された複数位置の音データに基づいて前記空間内の音源の位置の認識および音源から発せられた音をあらわす音データの抽出を行なう手段を有し、これら複数位置の音データに基づいて、入力された制御情報に応じた音情報を抽出する音情報抽出部とを備え、
前記音情報抽出部が、前記空間内の位置もしくは領域をあらわす情報を含む制御情報、もしくは前記空間内の音源の位置もしくは領域をあらわす情報を含む音情報の抽出を要請する制御情報が入力され、入力された制御情報に応じた音情報を抽出するものであって、さらに
前記音情報抽出部が、前記空間内の領域を指定する制御情報が入力され、該制御情報の入力を受けて、該制御情報があらわす領域内に存在する音源の位置を認識するとともに、時間経過に伴う該音源の位置の変化を追跡し、該音源から発せられた音をあらわす音データからなる音情報を抽出するものであることを特徴とする音情報抽出装置。
【請求項６】
所定の空間内の互いに離れた複数位置で収録された複数の音データを入力する音データ入力部と、
前記音データ入力部から入力された複数位置の音データに基づいて前記空間内の音源の位置の認識および音源から発せられた音をあらわす音データの抽出を行なう手段を有し、これら複数位置の音データに基づいて、入力された制御情報に応じた音情報を抽出する音情報抽出部とを備え、
前記音情報抽出部が、前記空間内の位置もしくは領域をあらわす情報を含む制御情報、もしくは前記空間内の音源の位置もしくは領域をあらわす情報を含む音情報の抽出を要請する制御情報が入力され、入力された制御情報に応じた音情報を抽出するものであって、さらに
前記音情報抽出部が、音源の数をあらわす制御情報が入力され、該制御情報の入力を受けて、パワーの大きい音を発する音源から順に、該制御情報があらわす音源の数と同数の音源を抽出して、時間経過に伴う該音源の位置の変化を追跡し、該音源から発せられた音をあらわす音データと、前記空間内の、該音源が存在する領域をあらわす領域データとからなる音情報を抽出するものであることを特徴とする音情報抽出装置。
【発明の詳細な説明】
【０００１】
【発明の属する技術分野】
本発明は、収録した音データを入力し、その音データから所定の音情報を抽出する音情報抽出装置に関する。
【０００２】
【従来の技術】
従来より、収録した音データを入力し、その音データに基づいて、特定領域内の音源から発せられた音をあらわす音データの抽出や音源追跡等のサウンド処理を行なうサウンドシステムが知られている。
図１０は、従来のサウンドシステムの概略ブロック図である。
【０００３】
図１０に示す音データ入力部１０は、図示しない音源から発せられた音を所定位置で収録した音データを入力して、ユーザシステム１０２に向けて音データを出力する。
ユーザシステム１０２は、音データ入力部１０１から送られてきた音データに基づいて、特定領域内の音源から発せられた音をあらわす音データの抽出や音源追跡等のサウンド処理を行なう。このようなサウンドシステムは、特定領域だけの録音機能を有するエデュテイメントソフトウェア（特定のプレイーだけの音声に反応するためのソフトウェア）や、音源追跡機能を有する監視装置等に応用されている。
【０００４】
【発明が解決しようとする課題】
上述したサウンドシステムでは、ユーザシステム内で特定領域内の音源の音データの抽出や音源追跡等のサウンド処理を行なうものであるため、ユーザシステム設計者にサウンド処理の知識が必要である。従って、サウンド処理の知識を持たないユーザシステム設計者が、特定領域内の音源の音データの抽出しや音源追跡等のサウンド処理を行なうことは困難である。
【０００５】
本発明は、上記事情に鑑み、サウンド処理の知識を特に持たないユーザないしユーザシステム設計者であってもサウンド処理の結果を容易に得ることのできる音情報抽出装置を提供することを目的とする。
【０００６】
【課題を解決するための手段】
上記目的を達成する本発明の音情報抽出装置は、
（１）所定の空間内の互いに離れた複数位置で収録された複数の音データを入力する音データ入力部
（２）音データ入力部から入力された複数位置の音データに基づいて上記空間内の音源の位置の認識および音源から発せられた音をあらわす音データの抽出を行なう手段を有し、これら複数位置の音データに基づいて、入力された制御情報に応じた音情報を抽出する音情報抽出部
を備え、
上記（２）の音情報抽出部が、上記空間内の位置もしくは領域をあらわす情報を含む制御情報、もしくは上記空間内の音源の位置もしくは領域をあらわす情報を含む音情報の抽出を要請する制御情報が入力され、入力された制御情報に応じた音情報を抽出するものであることを特徴とする。
【０００７】
本発明の音情報抽出装置は、上記（２）の音情報抽出部を備え、その音情報抽出部に制御情報を入力すると、その入力された制御情報に応じた音情報が抽出されて出力されるため、ユーザシステム側では、所望の音情報の抽出を指示する制御情報を作成して音情報抽出部に入力するだけで、その所望の音情報を入手することができる。したがってサウンド処理に関し特別の知識をもたないユーザ、ないしユーザシステム設計者にとっても、容易に、所望のサウンド処理結果である音情報を入手することができる。
【０００８】
ここで、上記本発明の音情報抽出装置において、上記音情報抽出部は、上記空間内の領域を指定する制御情報が入力され、その制御情報の入力を受けて、その制御情報があらわす領域内に存在する音源から発せられた音をあらわす音データからなる音情報を抽出するものであってもよく、あるいは、
上記音情報抽出部は、最大パワーの音を発する音源の抽出を指示する制御情報が入力され、その制御情報の入力を受けて、最大パワーの音を発する音源から発せられた音をあらわす音データと、上記空間内の、その最大パワーの音を発する音源が存在する領域をあらわす領域データとからなる音情報を抽出するものであってもよく、あるいは、
上記音情報抽出部は、音源の数をあらわす制御情報が入力され、該制御情報の入力を受けて、パワーの大きい音を発する音源から順に、その制御情報があらわす音源の数と同数の音源を抽出し、抽出された音源から発せられた音をあらわす音データと、上記空間内の、抽出された音源が存在する領域をあらわす領域データとからなる音情報を抽出するものであってもよい。
【０００９】
さらには、上記本発明の音情報抽出装置において、上記（２）の音情報抽出部は、パワーの大きい順序で所定の順位にある音を発する音源の抽出を指示する制御情報が入力され、その制御情報の入力を受けて、その制御情報があらわす順位にある音を発する音源から発せられた音をあらわす音データと、上記空間内の、その制御情報があらわす順位にある音を発する音源が存在する領域をあらわす領域データとからなる音情報を抽出するものであってもよく、あるいは、
上記音情報抽出部は、上記空間内の領域を指定する制御情報が入力され、その制御情報の入力を受けて、その制御情報があらわす領域内に存在する音源の位置を認識するとともに、時間経過に伴うその音源の位置の変化を追跡し、その音源から発せられた音をあらわす音データからなる音情報を抽出するものであってもよく、あるいは、
上記音情報抽出部は、音源の数をあらわす制御情報が入力され、その制御情報の入力を受けて、パワーの大きい音を発する音源から順に、その制御情報があらわす音源の数と同数の音源を抽出して、時間経過に伴うそれらの音源の位置の変化を追跡し、それらの音源から発せられた音をあらわす音データと、上記空間内の、それらの音源が存在する領域をあらわす領域データとからなる音情報を抽出するものであってもよい。
【００１０】
本発明の音情報抽出装置によれば、上記（２）の音情報抽出部が、上記（１）の音データ入力部から入力された複数の音データに基づいて音源の位置の認識および音源から発せられた音源をあらわす音データの抽出を行なう手段を備えているため、上記のような種々の制御情報、すなわち、空間内の位置や領域をあらわす情報を含む制御情報、あるいは、空間内の音源の位置や領域をあらわす情報を含む音情報の抽出を要請する制御情報を作成して音情報抽出部に入力することにより、上記のような種々の情報を持つ音情報を得ることができる。
【００１１】
ここで、上記本発明の音情報抽出装置は、上記の各種の音情報とは背反的な関係にある音情報を抽出して出力するものであってもよい。
すなわち、具体的には、上記本発明の音情報抽出装置において、上記音情報抽出部は、上記空間内の所定の領域以外の領域を指定する制御情報が入力され、その制御情報の入力を受けて、その制御情報があらわす、所定の領域以外の領域内に存在する音源から発せられた音をあらわす音データからなる音情報を抽出するものであってもよく、あるいは、
上記音情報抽出部は、最大パワーの音を発する音源以外の音源の抽出を指示する制御情報が入力され、その制御情報の入力を受けて、最大パワーの音を発する音源以外の音源から発せられた音をあらわす音データと、上記空間内の、その最大パワーの音を発する音源以外の音源が存在する領域をあらわす領域データとからなる音情報を抽出するものであってもよく、あるいは、
上記音情報抽出部は、音源の数をあらわす制御情報が入力され、その制御情報の入力を受けて、パワーの大きい音を発する音源から順に、その制御情報があらわす音源の数と同数の音源を抽出し、それら同数の音源以外の音源を抽出し、それら同数の音源以外の音源から発せられた音をあらわす音データと、上記空間内の、それら同数の音源以外の音源が存在する領域をあらわす領域データとからなる音情報を抽出するものであってもよい。
【００１２】
さらには、上記本発明の音情報抽出装置において、上記音情報抽出部は、パワーの大きい順序で所定の順位にある音を発する音源以外の音源の抽出を指示する制御情報が入力され、その制御情報の入力を受けて、その制御情報があらわす順位にある音を発する音源以外の音源から発せられた音をあらわす音データと、上記空間内の、その順位にある音を発する音源以外の音源が存在する領域をあらわす領域データとからなる音情報を抽出するものであってもよく、あるいは
上記音情報抽出部は、上記空間内の所定の領域以外の領域を指定する制御情報が入力され、その制御情報の入力を受けて、その制御情報があらわす、上記所定の領域以外の領域内に存在する音源の位置を認識するとともに、時間経過に伴うその位置の変化を追跡し、その音源から発せられた音をあらわす音データからなる音情報を抽出するものであってもよく、あるいは、
上記音情報抽出部は、音源の数をあらわす制御情報が入力され、その制御情報の入力を受けて、パワーの大きい音を発する音源から順に、その制御情報があらわす音源の数と同数の音源を抽出し、それら同数の音源以外の音源を抽出して、時間経過に伴う、それら同数の音源以外の音源の位置の変化を追跡し、それら同数の音源以外の音源から発せられた音をあらわす音データと、上記空間内の、それら同数の音源以外の音源が存在する領域をあらわす領域データとからなる音情報を抽出するものであってもよい。
【００１３】
【発明の実施の形態】
以下、本発明の実施形態について説明する。ここでは、通常のパーソナルコンピュータ内にユーザシステムとともに組み込まれた音情報抽出装置の各種実施形態について説明する。
図１は、本発明の第１実施形態の音情報抽出装置のブロック図である。
【００１４】
図１に示す音データ入力部１１は、例えばアレイマイク等により、三次元空間（ここでは、この３次元空間を録音領域と称する）内の複数位置で収録された複数の音データを入力し、本発明にいう音情報抽出部の一例である３Ｄ（３次元）サウンド処理部１２に向けて出力する。この３Ｄサウンド処理部１２は、音データ入力部１１から入力された複数の音データに基づいてその録音領域内に存在する音源の位置の認識やその録音領域内の音源から発せられた音をあらわす音データの抽出を行なう手段を有しており、この３Ｄサウンド処理部１２は、音データ入力部１１から複数位置の音データのほか、ユーザの指示による制御情報が入力され、音データ入力部１１から入力された複数位置の音データに基づいて、入力された制御情報に応じた音情報が抽出される。ユーザが指示することのできる制御情報には、録音領域内の位置もしくは領域をあらわす情報を含む制御情報や、録音領域内の音源の位置もしくは領域をあらわす情報を含む音情報の抽出を要請する制御情報が存在する。詳細は後述する。３Ｄサウンド処理部１２で抽出された音情報は、ユーザシステム１３に向けて出力される。
【００１５】
したがって、ユーザシステム１３は、サウンド処理について特別の知識を持った者が設計する必要がなく、制御情報に応じた所望の音情報を容易に得ることができ、その音情報に基づく処理を実行することができる。
図２は、本発明の第２実施形態の音情報抽出装置のブロック図である。
図２に示す音情報抽出装置は、図１に示す音情報抽出装置と比較し、図１に示す３Ｄサウンド処理部１２が領域内データ抽出部２２に特化されている点が異なっている。
【００１６】
図２に示す領域データ抽出部２２には、音データ入力部１１からの、録音領域内の複数位置の音データと、ユーザの指示による、録音領域内部の特定の一部領域をあらわす領域情報が入力される。この領域情報としては、球［中心点（ｘ，ｙ，ｚ），半径ｒ］や直方体［Ｘ±Δｘ，Ｙ±Δｙ，Ｚ±Δｚ］等が用いられる。
【００１７】
領域内データ抽出部２２では、制御情報として入力された領域情報があらわす領域内に存在する音源から発せられた音をあらわす音データからなる音情報が抽出され、ユーザシステム１３に向けて出力される。
ここで、領域内データ抽出部２２に、領域情報と反転フラグとからなる制御情報、すなわち、録音領域内部の、領域情報により特定される領域以外の領域を指定する制御情報を入力してもよい。
【００１８】
この場合、領域内データ抽出部２２では、入力された領域情報により定まる特定領域以外の領域内に存在する音源の音データが抽出されユーザシステム１３に向けて出力される。
図３は、本発明の第３実施形態の音情報抽出装置のブロック図、図４は、図３に示すパワー計算部の動作説明図である。
【００１９】
パワー計算部３１には、ユーザの指示による、最大パワーの音を発する音源の抽出を指示する制御情報が入力される。
図３に示すパワー計算部３１では、音データ入力部１１からの音データを入力し、その音データ入力部１１がサポートする録音領域全体を、図４（ａ）に示す破線のように区切り、区切られた全ての単位領域についてパワー計算を行なったのち、図４（ｂ）に示すように、最もパワーの高いポイントを中心とする任意の大きさの領域部分を定め、その領域部分を表わす領域情報（領域１）を、領域内データ抽出部３２に向けて出力する。
【００２０】
領域内データ抽出部３２は、音データ入力部１１からの複数位置の音データとパワー計算部３１からの領域１を入力し、その領域１内部の最大パワーの音源の音データを抽出し、その最大パワーの音源の音データをその領域１とともに、ユーザシステム１３に向けて出力する。
ここで、ユーザからの指示により、最大パワーの音を発する音源以外の音源の抽出を指示する制御情報、具体的には、最大パワーの音を発する音源の抽出を指示する制御情報に反転フラグが付加された制御情報を入力し、パワー計算部３１では最大パワーの音源が存在する領域１を抽出し、領域内データ抽出部では、音データ入力部１１がサポートする録音領域のうちの、最大パワーの音源が存在する領域１以外の領域に存在する音源の音データと、その最大パワーの音源以外の音源が存在する領域をあらわす領域データを抽出してユーザシステムに向けて出力するようにしてもよい。
【００２１】
図５は、本発明の第４実施形態の音情報抽出装置のブロック図である。
図５に示すパワー計算部５１には、音データ入力部１１からの複数位置の音データと、ユーザの指示による、音データ入力部１１がサポートする録音領域内の有効音源数ｎが入力される。このパワー計算部５１では、音データ入力部１１がサポートする録音領域を、前述した図４（ａ）に示すように区切り、区切られた全ての単位領域についてパワー計算を行ない、最大パワーのポイントから順にパワー順に上位ｎ個のポイントを定め、これらｎ個のポイントを中心とする任意の大きさの領域をあらわすｎ個の領域情報（領域１，領域２，…，領域ｎ）を、領域内データ抽出部５２に向けて出力する。
【００２２】
領域内データ抽出部５２は、音データ入力部１１からの複数位置の音データとパワー計算部５１からの領域１，領域２，…，領域ｎを入力し、パワーの大きな上位ｎ個の音源から発せられた音データを抽出し、それらの音データおよびそれら上位ｎ個の音源が存在する領域１，領域２，…，領域ｎを、ユーザシステム１３に向けて出力する。
【００２３】
ここで、ユーザからの指示により、有効音源の数ｎと反転フラグとからなる制御情報を入力し、領域内データ抽出部２５で、音データ入力部１１がサポートする録音領域のうち、領域１，領域２，…，領域ｎ以外の領域に存在する音源の音データとその音源が存在する領域をあらわす領域データとを抽出して、ユーザシステム１３に向けて出力してもよい。
【００２４】
図６は、本発明の第５実施形態の音情報抽出装置のブロック図である。
図６に示すパワー計算部６１は、音データ入力部１１からの複数位置の音データと、ユーザの指示による制御情報として、パワーがｎ番目に大きいことを表わす数値ｎを入力する。このパワー計算部６１では、音データ入力部１１がサポートする録音領域を、前述した図４（ａ）に示すように区切り、区切られた全ての単位領域についてパワー計算を行ない、ｎ番目にパワーの大きなポイントを中心とする任意の大きさの領域を表わす領域情報（領域ｎ）を、領域内データ抽出部６２に向けて出力する。
【００２５】
領域内データ抽出部６２は、音データ入力部１１からの複数位置の音データとパワー計算部６１からの領域ｎを入力し、ｎ番目にパワーの大きな音源の音データおよびその領域ｎを、ユーザシステム１３に向けて出力する。
ここでユーザからの指示により、パワーがｎ番目に大きいことをあらわす数値ｎとともに反転フラグを入力し、領域内データ抽出部６２で、音データ入力部１１がサポートする録音領域のうち、領域ｎ以外の領域に存在する音源の音データと、その音源が存在する領域をあらわす領域データとを抽出してユーザシステム１３に向けて出力するように構成してもよい。
【００２６】
図７は、本発明の第６実施形態の音情報抽出装置のブロック図、図８は、図７に示す音源追跡部の動作説明図である。
図７に示す音源追跡部７１には、音データ入力部１１からの複数位置の音データが入力されるとともに、ユーザの指示による、音データ入力部１１でサポートする録音領域内部の一部領域をあらわす初期領域情報が、制御情報として入力され、さらに、その初期領域情報が入力された後は、その初期領域情報に代わり、音源追跡部７１から出力される領域情報が入力される。この音源追跡部７１では、音データ入力部１１がサポートする録音領域を、図８（ａ）に示す破線のように区切り、入力された初期領域情報により定まる領域内のパワー計算を行なったのち、図８（ｂ）に示すように、最もパワーの高いポイントが中心となるようにその与えられた領域の位置をシフトすることにより新たな領域を設定し、その新たな領域を表わす領域情報を、音源追跡部７１にフィードバックするとともに、領域内データ抽出部７２に向けて出力する。
【００２７】
領域内データ抽出部７２は、音データ入力部１１からの複数位置の音データと音源追跡部７１からの領域情報を入力し、その領域情報により定まる領域内の音源の音データを抽出し、その音データをユーザシステム１３に出力する。
ここで、ユーザからの指示により、初期領域情報と反転フラグとからなる制御情報が入力された場合に、その初期領域情報が示す領域に存在する音源以外の音源を追跡し、その追跡した音源の音データを抽出してユーザシステムに向けて出力するように構成してもよい。
【００２８】
図９は、本発明の第７実施形態の音情報抽出装置のブロック図である。
図９に示すパワー計算部９１には、図５に示す実施形態におけるパワー計算部５１と同様、音データ入力部１１からの複数位置の音データと、ユーザの指示による、音データ入力部１１がサポートとする録音領域内の有効音源数ｎが入力される。このパワー計算部９１では、ユーザの指示による有効音源数ｎと同数のパワーの高いポイントを有する上位ｎ個の領域を表わすｎ個の初期領域情報（領域１，領域２，…，領域ｎ）を、音源追跡部９２に向けて出力する。
【００２９】
音源追跡部９２には、音データ入力部１１からの音データと、パワー計算部９１からの領域１，領域２，…，領域ｎと、その音源追跡部９２から出力される領域１’，領域２’，…，領域ｎ’が入力される。この音源追跡部９２では、音データ入力部１１のサポートする録音領域を、パワー計算部９１からの上位ｎ個の領域１，領域２，…，領域ｎが表わすｎ個の領域についてそれぞれパワー計算を行なったのち、それら領域をパワーの高い各ポイントを中心とした位置にそれぞれシフトすることにより、新たなｎ個の領域それぞれを設定し、それら新たな領域を表わす領域１’，領域２’，…，領域ｎ’を、音源追跡部９２にフィードバックするとともに、領域内データ抽出部９３に向けて出力する。
【００３０】
領域内データ抽出部９３は、音データ入力部１１からの音データと、音源追跡部９２からの領域１’，領域２’，…，領域ｎ’を入力し、音データ入力部１１からの音データのうち、パワーの高い上位ｎ個の音源データ１，音源データ２，…，音源データｎ、およびそれらの領域１’，領域２’，…，領域ｎ’を、ユーザシステム１３に向けて出力する。
【００３１】
ここで、ユーザからの指示により音源の数ｎと反転フラグとからなる制御情報が入力された場合に、上記ｎ個の初期領域（領域１，領域２，…，領域ｎ）以外の領域に存在する音源を追跡し、その音源の音データとその音源が存在する領域をあらわす領域データを抽出してユーザシステム１３に向けて出力するように構成してもよい。
【００３２】
以上のように上記の各種実施形態によれば、各種の制御情報に応じた各種の音情報を抽出してユーザシステム１３に向けて出力することができる。
尚、上述した各種実施形態は３次元空間内の音源位置を特定する機能を備えていることを前提とした実施形態であるが、本発明は３次元空間内の音源を捉えるものである必要はなく、例えば２次元平面上の音源を捉えるものであってもよい。
【００３３】
【発明の効果】
以上説明したように、本発明によれば、ユーザシステムにおける特定領域の音データの取出しや音源追跡等のサウンド処理の容易化が図られる。
【図面の簡単な説明】
【図１】本発明の第１実施形態の音情報抽出装置のブロック図である。
【図２】本発明の第２実施形態の音情報抽出装置のブロック図である。
【図３】本発明の第３実施形態の音情報抽出装置のブロック図である。
【図４】図３に示すパワー計算部の動作を説明するための図である。
【図５】本発明の第４実施形態の音情報抽出装置のブロック図である。
【図６】本発明の第５実施形態の音情報抽出装置のブロック図である。
【図７】本発明の第６実施形態の音情報抽出装置のブロック図である。
【図８】図７に示すパワー計算部の動作を説明するための図である。
【図９】本発明の第７実施形態の音情報抽出装置のブロック図である。
【図１０】従来のサウンドシステムの概略ブロック図である。
【符号の説明】
１１    音データ入力部
１２    ３Ｄサウンド処理部
１３    ユーザシステム
２２，３２，５２，６２，９２    領域内データ抽出部
３１，５１，６１，９１    パワー計算部
７１，９２    音源追跡部
【図１】
0003573898.tif 000002
【図２】
0003573898.tif 000003
【図３】
0003573898.tif 000004
【図４】
0003573898.tif 000005
【図５】
0003573898.tif 000006
【図６】
0003573898.tif 000007
【図７】
0003573898.tif 000008
【図８】
0003573898.tif 000009
【図９】
0003573898.tif 000010
【図１０】
0003573898.tif 000011